(57)【特許請求の範囲】
【請求項１】
容器内に出し入れ自在に収納されて容器内に収納される収納物を仕切った状態で保持するための容器とは別体の仕切り装置であって、該仕切り装置が、上差し込み部を有する仕切り体の少なくとも両側にそれぞれ内側に折り畳み自在な脚を設け、この脚の下部に下枠を設け、この下枠に仕切り体の上差し込み部に対応した下差し込み部を形成して構成してあることを特徴とする仕切り装置。
【請求項２】
中央部が内側に向けて折り曲げ自在となり且つ上下端がそれぞれ仕切り体と下枠とに回動自在に連結された二つ折り自在な二つ折り板と、仕切り体または下枠のいずれか一方に回動自在に連結されて折り畳み時は内側に折り畳まれ且つ二つ折り板の展延状態における起立時に先端部が仕切り体または下枠の他方に押し当てられる回動板とにより脚が構成してあることを特徴とする請求項１記載の仕切り装置。
【発明の詳細な説明】
【０００１】
【発明の属する技術分野】
本発明は、仕切り装置に関するものである。
【０００２】
【従来の技術】
従来から容器内に容器とは別体の仕切り装置を出し入れ自在に収納し、容器内に収納する収納物を仕切りにより仕切った状態で収納保持するようにするものが知られている。この従来の仕切り装置は容器内に入れた場合、仕切り装置の上面が容器内の上下方向の略中央部または上部に位置するように仕切り装置の背丈を設定してあった。つまり、容器内に仕切りを内装し、この仕切りに収納物を入れて収納物を安定して収納保持するには仕切り装置の上面が容器内においてある程度上に位置する必要ある。このため、従来にあっては仕切り装置の高さが高く、収納容器を空の状態で搬送したり保管したりしているとき、背の高い仕切り装置が邪魔になるという問題がある。例えば収納容器が折り畳み容器の場合に背の高い仕切り装置を折り畳み容器内に収納できないばかりか、収納容器が折り畳み容器でない場合にも、容器が空の際、下段の容器の上部内に上段の容器の下部をはめ込んで積み重ねるというような積み重ねをする（ネスティングする）場合など上記背の高い仕切り装置が邪魔になって積み重ねできず、結局、背の高い仕切り装置を容器から外して別に保管したり、搬送したりする必要があり、この場合も背の高い仕切り装置であるため、保管や搬送に当たって大きなスペースが必要になるという問題があった。
【０００３】
【発明が解決しようとする課題】
本発明は上記の点に鑑みてなされたものであり、仕切り装置を使用しないときには背の低い状態にコンパクトにでき、また、使用するときには簡単に仕切り体の位置を所定の高さに保持して置くことができ、また、収納物を上下で確実に保持して仕切ることができ、また、脚を起立させた状態を簡単な構成で保持して安定して仕切り体を所定位置に保持しておくことができる仕切り装置を提供することを課題とするものである。
【０００４】
【課題を解決するための手段】
上記課題を解決するために本発明に係る仕切り装置は、容器６内に出し入れ自在に収納されて容器６内に収納される収納物を仕切った状態で保持するための容器６とは別体の仕切り装置７であって、該仕切り装置７が、上差し込み部１ａを有する仕切り体１の少なくとも両側にそれぞれ内側に折り畳み自在な脚２を設け、この脚２の下部に下枠３を設け、この下枠３に上差し込み部１ａに対応する下差し込み部３ａを設けて構成してあることを特徴とするものである。このような構成とすることで、容器６内に別体の仕切り装置７を入れて使用する場合には、下枠３を容器６内の底部に載置すると共に脚２を起立させて仕切り体１を容器６内の所定高さに位置させることができる。したがって、収納物を、容器６内の所定高さに位置する仕切り体１の上差し込み部１ａと格子状をした下枠３の下差し込み部１ｂとに通して上下で保持して収納物同士を仕切ることができるものである。
【０００５】
また、中央部が内側に向けて折り曲げ自在となり且つ上下端がそれぞれ仕切り体１と下枠３とに回動自在に連結された二つ折り自在な二つ折り板４と、仕切り体１または下枠３のいずれか一方に回動自在に連結されて折り畳み時は内側に折り畳まれ且つ二つ折り板４の展延状態における起立時に先端部が仕切り体１または下枠３の他方に押し当てられる回動板５とにより脚２が構成してあることが好ましい。このような構成とすることで、脚２を起立させる場合には仕切り体１と下枠３とを連結する二つ折り板４を展延して起立させると共に、回動板５を起立させて回動板５の先端部を仕切り体１または下枠３に押圧することで、脚２の起立状態を保持して仕切り体１を所定高さで浮いた状態で保持できるものである。一方、折り畳みの際は回動板５を内側に倒し、二つ折り板４を内側に倒すことで簡単に折り畳むことができるものである。
【０００６】
【発明の実施の形態】
以下、本発明を添付図面に示す実施形態に基づいて説明する。
【０００７】
仕切り装置７は、複数の上差し込み部１ａを有する仕切り体１の少なくとも両側にそれぞれ内側に折り畳み自在な脚２を設け、この脚２の下部に下枠３を設け、この下枠３に複数の上差し込み部１ａに対応した複数の下差し込み部１ｂを設けてある。添付図面に示す実施形態では仕切り体１及び下枠３が平面視格子状をしており、仕切り体１の各格子目部分がそれぞれ上差し込み部１ａとなり、下枠３の各格子目部分がそれぞれ下差し込み部３ａとなっている。なお、上差し込み部１ａ、下差し込み部１ｂは格子目部分により構成するものにのみ限定されず、収納物の形状に対応した種々の形状の孔状をしたものが考えられる。
【０００８】
内側に折り畳み自在な脚２は図１、図３に示すように、二つ折り板４と回動板５とで構成してある。すなわち、仕切り体１の脚２が設けられる辺の両端部にそれぞれ上下方向の中間部分を境にして内側に二つ折り自在な二つ折り板４の上端を回動自在に連結するともに該二つ折り板４の下端部をそれぞれ下枠３の脚２が設けられる辺の両端部に回動自在に連結し、仕切り体１の脚２が設けられる辺の中央部または下枠３の脚２が設けられる辺の中央部のいずれか一方に回動板５を回動自在に連結して構成してある。
【０００９】
そして、脚２を起立させる場合には仕切り体１と下枠３とを連結する二つ折り板４を展延して起立させると共に、回動板５を起立させて回動板５の先端部を仕切り体１または下枠３に押圧することで、展延した二つ折り板４に規制されて仕切り板９の先端部が仕切り体１に強く押し付けられて起立状態が保持され、これにより二つ折り板４と回動板５とで構成する脚２の起立状態をより確実に保持して仕切り体１を所定高さで浮いた状態で保持できるようにしてある。
【００１０】
ここで、図１のように回動板５の先端部の両側を切除して起立状態で回動板５の先端部の中央部のみが部分的に仕切り体１または下枠３に押圧するようにすると、回動板５を抵抗を少なくしてスムーズに回動して回動板５の先端部の中央部のみを部分的に仕切り体１または下枠３に押圧することができるものである。
【００１１】
また、図４に示すように回動板５の一端部を仕切り体１または下枠３のいずれか一方に回動自在に連結し、回動板５の他端部を仕切り体１または下枠３のいずれか他方に押圧させるものにおいて、回動板５の他端部が押圧される方の下枠３または仕切り体１が格子状をしている場合、回動板５の他端部が押圧される格子状の縦片部８の上面または下面（図では上面）を凹ませて被押圧部９とし、この被押圧部９と交差する横片部１０のうち回動板５の折り畳み方向（内側）の横片部１０の上面または下面（図では上面）を被押圧部９側に下り傾斜する傾斜面１１とすると、回動板５を図４の矢印方向にスムーズに回動させて実線のように起立させた状態で段部１２に当てて位置決めした状態で回動板５の他端部を被押圧部９に確実に押圧して起立状態を保持できるものである。
【００１２】
上記のような構成の仕切り装置７は図５、図６のように容器６内に内装して容器６内を仕切って収納物を収納するのに使用される。ここで、使用の際には容器６内で下枠３を容器６内の底部に載置すると共に、脚２を起立させることで、仕切り体１を容器６内の所定高さ位置に浮かせた状態で保持することができるものである。そして、このように仕切り装置７を内装することで容器６内を仕切り、容器６内に収納物を収納する際、上方に位置させて起立する脚２により保持された上仕切り体１の上差し込み部１ａと下枠３の下差し込み部１ｂに収納物を差し込んで上下で収納状態を安定して保持するものである。このようにして複数の収納物を仕切り装置７により各収納物同士が衝突しないように仕切った状態で収納保持することができるものである。
【００１３】
容器６に収納物を収納しない空の状態で保管したり、搬送する場合には、図７、に示すように脚２を折り畳むことで仕切り装置７の背を低くしてコンパクトにし、容器６内の下部に収納しておくことができる。この場合には、図７に示すように、容器６内の下部に折り畳んだ仕切り装置７を収納したままの状態で、下段の容器６の上部内に上段の容器６の下部を嵌め込むというようなネスティング積みすることも可能となり、この場合には積み重ねた高さを低くして保管、搬送に当たってスペースが小さくてよいものである。
【００１４】
また、図８乃至図１０には容器６が折り畳み容器６の場合の例が示してある。この折り畳み容器６は合成樹脂により形成してあって、矩形状の口枠２０と、上方が開口した矩形容器状の下容器体２１と、上長側板２２の下端と下長側板２３の上端とを回転自在に連結して折り畳み自在な一対の長側板２４と、一対の短側板２５とで折り畳み容器６が構成してある。
【００１５】
すなわち、矩形状の口枠２０と上方が開口した矩形容器状の下容器体２１とを上下に配置し、折り畳み自在な一対の長側板２４をそれぞれ口枠２０の一対の長辺と下容器体２１の一対の長辺との間に配置し、上長側板２２の上端を口枠２０に回転自在に連結すると共に下長側板２３の下端を下容器体２１に回転自在に連結し、組み立て状態で口枠２０と下容器体２１との間に立設する短側板２５の上端を口枠２０の一対の短辺に各々回転自在に連結して折り畳み容器６を構成してある。
【００１６】
ここで、折り畳み容器６は従来から公知の通常のこの種の折り畳み容器と同様に、両短側板２５を回動して横向きにして口枠２０内に収め、その後、横向きにした両短側板２５の下方において両長側板２４を内側に折り畳んで横向きとすることで折り畳んで重ねることでコンパクトな状態に折り畳むものである。ところで、添付図面に示す実施形態においては、折り畳み容器６を折り畳んだ状態では下容器体２１の上開口部２６の内周部に段部２７を設けてあって、折り畳んだ長側板２４の下長側板２３の端が上記段部２７に載置され、折り畳んだ長側板２４が段部２７を越えて下容器体２１内に入り込まないようになっている。したがって、折り畳み容器６の折り畳み状態において下容器体２１の上開口部２６の段部２７より下方は収納空所２８を構成することになる。
【００１７】
しかして、本実施形態においては、非使用時には脚２を折り畳んだ状態で仕切り装置７を折り畳み容器６の下容器体２１の収納空所２８内に収納し、この状態で両短側板２５を折り畳むとともに両長側板２４を折り畳んで下りた畳容器６を折り畳んでコンパクトにするものであり、この状態では下容器体２１の収納空所２８内に収納した仕切り装置７の上方が両長側板２４、両短側板２５で覆われることになって、仕切り装置７が保護されるだけでなく、折り畳み容器６とは別体の仕切り装置７が外に脱落するのが防止され、折り畳み容器６を折り畳んだ状態で搬送したり、保管したりする際に、仕切り装置７が脱落して紛失するというようなことがないものである。
【００１８】
一方、使用するに当たっては、両長側板２４を起立させ、両短側板２５を起立させることで、折り畳み容器６を箱形に組み立て、この状態で、下容器体２１の収納空所２８内に収納していた仕切り装置７の仕切り体１を手で掴んで上方に引き上げるとともに脚２を起立させて仕切り体１を箱形に組み立て状態の折り畳み容器６内の所定高さ位置に浮かせた状態を起立した脚２により保持するものである。
【００１９】
そして、本実施形態によれば、前述のように、折り畳み状態において折り畳み容器６に仕切り装置７を脱落しないように収納するに当たって、下容器体２１の収納空所２８内に収納した仕切り装置７の上方を両長側板２４、両短側板２５で覆うことで脱落を防止しているので、従来のように口枠２０の内面に特別に仕切りの脱落防止のためのストッパを突設する必要がなく、したがって、箱状に組み立てた状態において口枠２０から収納物を出し入れする際に、内方に突出するストッパがないので、収納物や手や衣類等が引っ掛かったりすることなく、収納物の出し入れがスムーズにできることになる。
【００２０】
また、仕切り装置７が外に脱落するのを防止するためのストッパを口枠２０に突設する必要がないので、箱状に組み立てた状態では、口枠２０から上方に仕切り装置７を取り出すことができ、このように、仕切り装置７を取り出した状態では、通常の仕切り無しの折り畳み容器６として使用することができるものであり、この場合、本実施形態においては、仕切り体１を上下方向の所定の高さに浮かせた状態で保持するための脚２を仕切り体１に設けて仕切り装置７が構成してあるので、従来のように、折り畳み容器６の長側板２４や短側板２５に溝状の載置部を形成する必要がなく、したがって、長側板２４や短側板２５の強度の低下がないのみならず、仕切り無しの折り畳み容器６として使用する際に、溝状の載置部に収納物が引っ掛かったりするというようなおそれもないものである。
【００２１】
【発明の効果】
上記のように本発明の請求項１記載の発明にあっては、容器内に出し入れ自在に収納されて容器内に収納される収納物を仕切った状態で保持するための容器とは別体の仕切り装置であって、該仕切り装置が、上差し込み部を有する仕切り体の少なくとも両側にそれぞれ内側に折り畳み自在な脚を設け、この脚の下部に下枠を設け、この下枠に仕切り体の上差し込み部に対応した下差し込み部を形成して構成してあるので、本発明の仕切り装置を使用する場合は、容器内に別体の仕切り装置を入れて、下枠を容器内の底部に載置すると共に脚を起立させることで、仕切り体を容器内の所定高さに位置させることができ、したがって、収納物を、容器内の所定高さに位置する仕切り体の上差し込み部と格子状をした下枠の下差し込み部とに通して上下で保持して収納物同士を仕切ることができるものであって、仕切り装置により安定して収納物を保持できるものである。しかも、使用しないときは脚を折り畳むことで仕切り装置の背を低くしてコンパクトにでき、例えば、空の容器内の下部に別体の仕切り装置を収納した状態で容器をネスティング積みしたり、あるいは折り畳み容器内にコンパクトに折り畳んだ仕切り装置を収納したりすることが可能となるものである。
【００２２】
また、請求項２記載の発明にあっては、上記請求項１記載の発明の効果に加えて、中央部が内側に向けて折り曲げ自在となり且つ上下端がそれぞれ仕切り体と下枠とに回動自在に連結された二つ折り自在な二つ折り板と、仕切り体または下枠のいずれか一方に回動自在に連結されて折り畳み時は内側に折り畳まれ且つ二つ折り板の展延状態における起立時に先端部が仕切り体または下枠の他方に押し当てられる回動板とにより脚が構成してあるので、脚を起立させる場合には仕切り体と下枠とを連結する二つ折り板を展延して起立させると共に、回動板を起立させて回動板の先端部を仕切り体または下枠に押圧することで、脚の起立状態を保持して仕切り体を所定高さで浮いた状態で保持でき、また、折り畳みの際は回動板を内側に倒し、二つ折り板を内側に倒すことで簡単に折り畳むことができ、このように脚の簡単な構成で脚の起立状態の保持及び折り畳んでコンパクトにすることができるものである。
【図面の簡単な説明】
【図１】本発明の仕切り装置の脚を起立させた状態の斜視図である。
【図２】同上の仕切り装置の脚を折り畳んだ状態の斜視図である。
【図３】同上の仕切り装置の他の実施形態の脚を起立させた状態の斜視図である。
【図４】同上の更に他の実施形態の脚を起立させた状態の断面図である。
【図５】同上の仕切り装置を容器内に内装した状態の斜視図である。
【図６】同上の断面図である。
【図７】同上の空の容器内に仕切り装置を折り畳んで収納した状態でネスティング積みした状態の断面図である。
【図８】同上の箱状に組み立てた状態の折り畳み容器内に仕切り装置を内装した斜視図である。
【図９】同上の折り畳んだ状態の折り畳み容器内に仕切り装置を収納した斜視図である。
【図１０】同上の断面図である。
【符号の説明】
１  仕切り体
１ａ  上差し込み部
２  脚
３  下枠
３ａ  下差し込み部
４  二つ折り板
５  回動板
【図１】
0004031592.tif 000002
【図２】
0004031592.tif 000003
【図３】
0004031592.tif 000004
【図４】
0004031592.tif 000005
【図５】
0004031592.tif 000006
【図６】
0004031592.tif 000007
【図７】
0004031592.tif 000008
【図８】
0004031592.tif 000009
【図９】
0004031592.tif 000010
【図１０】
0004031592.tif 000011